(57)【要約】【課題】手肌に対するマイルド性実感に優れ、しかもすすぎ性が良好な台所用液体洗浄剤組成物を提供すること。【解決手段】（ａ）１０質量％を越える量の非イオン性界面活性剤  、（ｂ）乳白化剤、（ｃ）芳香族スルホン酸/塩または芳香族カルボン酸/塩を含有することを特徴とする台所用液体洗浄剤組成物。【選択図】      なし【特許請求の範囲】
【請求項１】
（ａ）１０質量％を越える量の非イオン性界面活性剤  、（ｂ）乳白化剤、（ｃ）芳香族スルホン酸/塩または芳香族カルボン酸/塩を含有することを特徴とする台所用液体洗浄剤組成物。
【発明の詳細な説明】
【０００１】
【発明の属する技術分野】
本発明は新規な台所用液体洗浄剤組成物、さらに詳しくは、手肌に対するマイルド性実感に優れ、しかもすすぎ性が良好な台所用液体洗浄剤組成物に関するものである。
【０００２】
【従来の技術】
従来、各種の食器、調理具に用いられているガラス・陶器などの硬表面を洗浄するための洗浄剤としては、アニオン性界面活性剤、非イオン性界面活性剤、両性界面活性剤などが組み合わされて使用されている。このような洗浄組成物は充分な泡性能・洗浄力をもつ洗浄剤として市販されているが、手荒れを起こしやすいという問題があった。さらには、消費者は洗浄力と手肌マイルド性とは相反する性能ととらえており、洗浄剤のもつ手肌へのやさしさを消費者にうまく伝える手段、あるいは、使用中のマイルド性実感が望まれてきた。
このような課題に対して、アニオン性界面活性剤と非イオン性界面活性剤の組み合わせにより、洗浄力とマイルド性を両立した組成物を提案しているが（例えば、特許文献１参照）、乳白化剤及び芳香族酸／塩が含まれないため、洗浄剤の手肌へのやさしさを消費者に伝える点では十分ではなかった。さらに、非イオン性界面活性剤と芳香族酸／塩を組み合わせた組成（例えば、特許文献２参照）では、優れた洗浄力、泡立ちを有しているが、乳白化剤が含有されておらず、しかも手肌マイルド性について何ら記載されていない。
また、美しい外観を与えて商品価値を高めるために、乳白化剤を用いて洗浄剤を乳濁化する組成が知られているが（例えば、特許文献３参照）、本明細書における芳香族酸／塩が含まれないため、使用時のすすぎ性が悪化してしまうという欠点があった。すすぎ性は、経済性、環境への配慮などから、洗浄力、マイルド性と並んで台所用洗剤に強く求められる機能であるだけでなく、すすぎ性に優れていると洗浄剤使用時のぬるつき性を軽減して手肌にやさしいと実感される不可欠な要素である。乳白化剤と芳香族酸／塩を組み合わせた組成も知られているが（例えば、特許文献４参照）、非イオン性界面活性剤が含まれていないため、手肌に対するマイルド性が劣るだけでなく、すすぎ性も不十分であった。さらに、非イオン性界面活性剤、乳白化剤と芳香族酸／塩を組み合わせた組成も知られているが（例えば、特許文献５参照）、非イオン性界面活性剤が１０％以下であり、手肌に対するマイルド性が不十分であるだけでなく、手肌のマイルド性や使用中のマイルド実感、すすぎ性については何ら記載されていない。
【０００３】
【特許文献１】
特開平０７−１７３４９１号公報
【特許文献２】
特開２００２−２５６３００号公報
【特許文献３】
特開平３−１２６７９７号公報
【特許文献４】
特開平６−１７０８８号公報
【特許文献５】
特開平６−１７０９２号公報
【０００４】
【発明が解決しようとする課題】
上記事情に鑑み、本発明は、手肌に対するマイルド性実感に優れ、しかもすすぎ性が良好な台所用液体洗浄剤組成物を提供することを目的とする。
【０００５】
【課題を解決するための手段】
本発明者らは、手肌に対するマイルド性実感ならびにすすぎ性が良好な台所用液体洗浄剤組成物について鋭意研究を重ねた結果、特定量の非イオン性界面活性剤、乳白化剤、及び芳香族スルホン酸/塩または芳香族カルボン酸/塩を組み合わせることにより、前記目的を達成しうることを見出し、この知見に基づいて本発明を完成することに至った。
即ち、本発明は、（ａ）１０質量％を越える量の非イオン性界面活性剤  、（ｂ）乳白化剤、（ｃ）芳香族スルホン酸/塩または芳香族カルボン酸/塩を含有することを特徴とする台所用液体洗浄剤組成物である。
【０００６】
【発明の実施の形態】
本発明において用いられる（ａ）成分の非イオン性界面活性剤は、特に規定されないが、代表的なものとしては、以下に示す一般式（I）〜（III）のものが用いられる。
下記一般式（I）で示されるポリオキシアルキレンアルキルエーテル
［化１］
Ｒ1Ｏ（ＡＯ）ｎＲ2                       （I）
（式中、Ｒ1は炭素数８〜１８のアルキル基もしくはアルケニル基、Ｒ2は水素原子又は炭素数１〜３のアルキル基、ｎは３〜２５、ＡＯは炭素数２〜４のオキシアルキレン基を示す。）
具体的にはＣ１２ポリオキシエチレンアルキルエーテル（ｎ＝９）が挙げられる。
下記一般式（II）で示されるエステル型ポリオキシアルキレンアルキルエーテル
［化２］
Ｒ−ＣＨ２−ＣＯＯ−（ＡＯ）n−ＣＨ３           （II）
（式中、Ｒは炭素数８〜１８のアルキル基もしくはアルケニル基、ｎは３〜２５、ＡＯは炭素数２〜４のオキシアルキレン基を示す。）
具体的にはメトキシヘキサエチレングリコールラウリン酸エステルが挙げられる。
下記一般式（III）で示されるアルカノールアミド
2004204101.tif 000002
（式中、Ｒは炭素数８〜１８のアルキル基を示す。Ｘは水素原子またはヒドロキシエチル基を示す。）
具体的にはラウリン酸ジエタノールアミドなどが挙げられる。
【０００７】
更に、上記一般式（I）〜（III）以外に使用できる非イオン性界面活性剤としては、以下のものが挙げられる。
Ｃ８〜１６のポリオキシエチレンソルビタンエステル（ｎ＝１〜１０）、Ｃ８〜１６のソルビタンエステル、Ｃ８〜１６のソルビトールエステル、Ｃ６〜１６の蔗糖脂肪酸エステル、Ｃ６〜１６のメチルグルコシドエステル、Ｃ６〜１６のメチルマンノシドエステル、Ｃ６〜１６のエチルグルコシドエステル、Ｃ６〜１６のＮ−メチルグルカミド、Ｃ６〜１６の環状Ｎ−メチルグルカミド、Ｃ６〜１６のアルキルグルコシド、Ｃ６〜１６のアルキルポリグルコシド、Ｃ６〜１６のアルキルグリセリルエーテルなどの非イオン性界面活性剤が挙げられる。
また、Ｃ８〜１６のアルキルアミンオキシド、アルキルアミドアミンオキシド、アルキルヒドロキシアミンオキシドなどの半極性非イオン性界面活性剤が挙げられる。
【０００８】
上記の非イオン性界面活性剤は単独でも良く、また２種あるいは３種の組み合わせでも良い。その含有量は、組成物全量に対して１０％を越え、６０％以下の範囲が好ましく、特に好ましくは、１０％を越え、３０％以下である。なお、非イオン性界面活性剤の含有量が１０％以下であると、手肌のマイルド性、およびすすぎ性が低下し、また、６０％を超えると、粘性が大幅に上がることがあるため、製品として好ましくない。
また、本発明に用いられる洗浄活性成分として先に掲げた非イオン性界面活性剤以外に、アニオン性界面活性剤、両性界面活性剤、カチオン性界面活性剤を用いることができる。少なくとも一種の非イオン性界面活性剤を用いてさえいれば、それぞれの種類の界面活性剤を複数使用した組み合わせでも良い。
【０００９】
アニオン性界面活性剤の代表的なものとしては、以下の一般式（IV）〜（Ｘ）などに示すものが用いられる。
（１）下記一般式（IV）で示されるアルキルもしくはアルケニル硫酸エステル塩。
［化４］
ＲＯＳＯ３Ｍ                         （IV）
（式中、Ｒは炭素数１０〜１８のアルキル基もしくはアルケニル基を示す。Ｍはアルカリ金属、アルカリ土類金属、アンモニウム又はアルカノールアミンを示す。）
具体的にはラウリル硫酸ナトリウム塩が挙げられる。
（２）下記一般式（Ｖ）で示されるポリオキシエチレンアルキルもしくはアルケニル硫酸エステル塩。
［化５］
Ｒ（ＯＣＨ２ＯＣＨ２）nＯＳＯ３Ｍ        （Ｖ）
（式中、ｎは０．５〜８、Ｒは炭素数１０〜１８のアルキル基もしくはアルケニル基を示す。Ｍはアルカリ金属、アルカリ土類金属、アンモニウム又はアルカノールアミンを示す。）
具体的にはＣ１２アルキルエーテル硫酸エステルナトリウム塩（ｎ＝３）が挙げられる。
【００１０】
（３）下記一般式（VI）で示されるアルキルベンゼンスルホン酸塩
【化６】
2004204101.tif 000003
（式中、Ｒは炭素数８〜２０のアルキル基を示す。Ｍはアルカリ金属、アルカリ土類金属、アンモニウム又はアルカノールアミンを示す。）
具体的にはＣ１０〜Ｃ１８アルキルベンゼンスルホン酸ナトリウム塩が挙げられる。
（４）下記一般式（VII）で示されるアルカンスルホン酸塩。
［化７］
ＲＳＯ３Ｍ                             （VII）
（式中、Ｒは炭素数１０〜１８のアルキル基を示す。Ｍはアルカリ金属、アルカリ土類金属、アンモニウム又はアルカノールアミンを示す。）
具体的にはＣ１０〜１３アルカンスルホン酸ナトリウム塩が挙げられる。
（５）下記一般式（VIII）で示されるアルキルもしくはアルケニルエーテルカルボン酸塩。
［化８］
ＲＯ（ＣＨ２ＣＨ２Ｏ）nＣＨ２ＣＯＯＭ         （VIII）
（式中、ｎは１〜６、Ｒは炭素数１０〜１８のアルキル基もしくはアルケニル基を示す。Ｍはアルカリ金属、アルカリ土類金属、アンモニウム又はアルカノールアミンを示す。）
具体的にはＣ１２〜１３アルキルエーテルカルボン酸ナトリウム塩（ｎ＝４）が挙げられる。
【００１１】
（６）下記一般式（IX）で示されるαスルホ脂肪酸誘導体。
【化９】
2004204101.tif 000004
（式中、Ｒ１は炭素数４〜１６のアルキル基もしくはアルケニル基、ｎは３〜２５、Ｒ２は水素原子または炭素数１〜３のアルキル基、Ｍは水素原子、アルカリ金属、アルカリ土類金属、アンモニウム又はアルカノールアミンを示す。）
具体的にはメトキシヘキサエチレングリコールαスルホラウリン酸エステルナトリウム塩が挙げられる。
【００１２】
（７）下記一般式（X）で示されるアシルアミノ酸塩。
【化１０】
2004204101.tif 000005
（式中、Ｒは炭素数８〜１６のアルキル基もしくはアルケニル基、ｎは１または２、Ｍはアルカリ金属、アルカリ土類金属、アンモニウム又はアルカノールアミンを示す。）
具体的にはＮラウロイルＮメチルβアラニンナトリウムが挙げられる。
【００１３】
更に、上記一般式（IV）〜（Ｘ）以外に使用できるアニオン性界面活性剤としては以下のものが挙げられる。
その他の構造のアシルアミノ酸塩（Ｎアシルグルタメート等）を用いても良い。更に、Ｃ１０〜１８のアルファオレフィンスルホン酸塩（塩の種類としてはアルカリ金属、アルカリ土類金属、アンモニウム又はアルカノールアミン）、具体的にはＣ１４アルファオレフィンスルホン酸ナトリウム塩が挙げられる。
Ｃ８〜１８のαスルホ脂肪酸アルキルエステル塩（塩の種類としてはアルカリ金属、アルカリ土類金属、アンモニウム又はアルカノールアミン）、具体的にはＣ１２〜１４αスルホ脂肪酸メチルエステルナトリウム塩が挙げられる。
Ｃ８〜１８のスルホコハク酸塩（塩の種類としてはアルカリ金属、アルカリ土類金属、アンモニウム又はアルカノールアミン）、具体的にはＣ１２スルホコハク酸ナトリウム塩が挙げられる。
Ｃ８〜１８のアルキルリン酸エステル塩（塩の種類としてはアルカリ金属、アルカリ土類金属、アンモニウム又はアルカノールアミン）、具体的には、Ｃ１２アルキルリン酸ナトリウム塩が挙げられる。
Ｃ１０〜２２の天然脂肪酸石鹸が挙げられる。天然脂肪酸石鹸としてはヤシ油、パーム油、牛脂、豚脂などの油脂をけん化して得られる脂肪酸を中和して得られるアルカリ金属、アルカリ土類金属、アンモニウム又はアルカノールアミン塩からなる石鹸が広く包含される。その中でもカリウム塩、ナトリウム塩などの各種塩からなる石鹸が広く用いられている。これらの脂肪酸はＣ９〜Ｃ２２の炭素数を有しその飽和物又は不飽和物であってよい。
【００１４】
両性界面活性剤の代表的なものとしては、以下に示す一般式（ＸI）〜（ＸIII）のものが用いられる。
下記一般式（ＸI）で示されるカルボキシベタイン型両性界面活性剤。
【化１１】
2004204101.tif 000006
（式中のＲは炭素数１０〜１８のアルキルまたはアルケニル基、ｎは１〜４、Ｍはアルカリ金属、アルカリ土類金属、アンモニウム又はアルカノールアミンを示す）
具体的には、Ｃ12ジメチル酢酸ベタインが挙げられる。
下記一般式（ＸII）で示されるカルボキシベタイン型両性界面活性剤。
【化１２】
2004204101.tif 000007
（式中のＲは炭素数１０〜１８のアルキルまたはアルケニル基、ｍは１〜４、ｎは１〜４、Ｍはアルカリ金属、アルカリ土類金属、アンモニウム又はアルカノールアミンを示す）
具体的には、ヤシアミドプロピルジメチル酢酸が挙げられる。
下記一般式（ＸIII）で示されるアミノカルボン酸塩型両性界面活性剤。
ＲＮＨ（ＣＨ2）nＣＯＯＭ          （ＸIII）
（式中のＲは炭素数１０〜１８のアルキル又はアルケニル基、ｎは１〜４、Ｍは水素原子、アルカリ金属、アルカリ土類金属、アンモニウム又はアルカノールアミンを示す）
具体的には、ココアルキルβアラニン塩が挙げられる。
【００１５】
その他に、上記一般式（ＸI）〜（ＸIII）以外に使用できる両性界面活性剤としては、Ｃ8〜16のアルキルスルホベタイン、Ｃ8〜16のヒドロキシアルキルスルホベタイン、Ｃ8〜16のアルキルイミダゾリニウムベタインなどが挙げられる。
カチオン性界面活性剤の代表的なものとしては、以下に示すものが用いられる。
例えば、Ｃ８〜１８のジ長鎖アルキルジメチル４級アンモニウム塩、Ｃ８〜１８の長鎖アルキルジメチル４級アンモニウム塩などが挙げられる。
これら各種の合計界面活性剤の含有量は、組成物全量に対して、５〜６０%、より好ましくは、１０〜５０％である。上記界面活性剤の合計含有量を５〜６０％にすることにより、泡性能・洗浄力などの基本性能を満足する。
なお、界面活性剤の合計含有量が５％未満であると、泡性能・洗浄力が低下し、また、６０％を超えると、粘性が大幅に上がるため、製品として好ましくない。
なお、カチオン性界面活性剤は、洗浄性、仕上がり性を損なわない量、即ち、組成物全量に対して、３％以下、好ましくは、０〜２％を含有せしめることが望ましい。
【００１６】
本発明において用いられる（ｂ）成分の乳白化剤は、本発明の組成物に乳白色または真珠用光沢の外観を賦与し得るものであれば特に限定されるものではなく、魚鱗、雲母片等の天然物由来のものでも、化学合成品でもよいが、品質安定性、経済性、製造時の取り扱い易さ等の点から高分子ラテックス、あるいはパール化剤など化学合成されたものが好ましい。
高分子ラテックスのモノマー成分としては、例えばエチレン、プロピレン、ブテン等のエチレン系不飽和モノマー、スチレン、α―メチルスチレン、ビニルトルエン等の芳香族ビニルモノマー、酢酸ビニル、プロピオン酸ビニル、バーサチック酸ビニル等のビニルエステルモノマー、アクリロニトリル、メタクリロニトリル等のビニルシアンモノマー、アクリル酸、アクリル酸メチル、メタクリル酸エチル等のアクリル酸系モノマー等を挙げることができる。これらのモノマーは単独で用いても２種以上混合してもよい。また、高分子ラテックスの平均粒径が０．５μｍを越えた場合安定性に劣るため、平均粒径は０．５μｍ以下が好ましく、更に好ましくは、０．３μｍ以下である。
パール化剤の例としては、エチレングリコールモノステアリン酸エステル、エチレングリコールジステアリン酸エステル、ジエチレングリコールモノステアリン酸エステル、ジエチレングリコールジステアリン酸エステル等の長鎖脂肪酸グリコールエステル類や、ステアリン酸モノエタノールアミド、ベヘン酸モノエタノールアミド、硬化牛脂脂肪酸モノエタノールアミド、硬化パーム油脂肪酸モノエタノールアミド等の長鎖脂肪酸アルカノールアミドが挙げられる。
乳白化剤は、単独で用いてもよいし、２種以上を組み合わせて用いてもよい。その含有量は、特に規定されないが、０．０１〜５％の範囲にあることが好ましく、特に好ましくは０．１〜１％である。この含有量が０.１％未満では使用中に感じる手肌のマイルド感や、乳濁性が不十分である。１％を越えるとすすぎ性が劣り、また自然な光沢のある乳濁性が得られず、かつ、被洗物へ乳白化剤が付着するなど商品価値が低下する。
【００１７】
本発明で使用される（ｃ）成分の芳香族スルホン酸は、トルエンスルホン酸、キシレンスルホン酸、クメンスルホン酸、ベンゼンスルホン酸などが好ましいが、それらに限定されるものではない。また、芳香族カルボン酸として、安息香酸、サリチル酸などが好ましいが、これらに限定されるものではない。これら芳香族スルホン酸または芳香族カルボン酸の塩としては、ナトリウム塩、カリウム塩、リチウム塩などのアルカリ金属塩、カルシウム塩、マグネシウム塩、バリウム塩などのアルカリ土類金属塩、さらには、アンモニウム塩、アルキルもしくはアルカノール置換アンモニウム塩などが挙げられる。これら芳香族スルホン酸/塩または芳香族カルボン酸/塩は、単独で用いてもよいし、２種以上を組み合わせて用いてもよい。その含有量は、組成物全量に対して、０．１％以上、さらに好ましくは１％以上であることが好ましい。０．１％未満であると、すすぎ性が悪化することがある。上限は特に限定されないが、通常１０％以下である。
【００１８】
本発明の硬表面用液体洗浄剤組成物には、更に、目的のマイルド性実感、すすぎ性を損なわない範囲で、通常の台所用液体洗浄剤組成物に用いられる種々の添加剤を用いることができる。
例えば、エタノールなどの低級アルコール、プロピレングリコール、グリセリン、ソルビトールなどの多価アルコール、ポリエチレングリコール等のハイドロトロープ剤、金属イオン封鎖剤、抗菌剤、色素、香料、増粘剤、抗酸化剤等が使用できる。
【００１９】
【発明の効果】
本発明によれば、手肌に対するマイルド性実感に優れ、しかもすすぎ性が良好な台所用液体洗浄剤組成物を提供できる。
【００２０】
【実施例】
表１に示す組成の液体洗浄剤組成物を調整し、マイルド性、使用中のマイルド感、すすぎ性について、下記方法で評価した。
［マイルド性］
組成物１％を含有する希釈水道水３リットルを入れた桶に１日３０分、手を手首まで浸漬させた。この操作を３日間繰り返し、次の日に手の荒れ具合を下記の判定基準に従って自己判定した。
（評価基準）
５  全く手荒れしない
４  ほとんど手荒れしない
３  やや手荒れした
２  かなり手荒れした
１  非常に手荒れした
［マイルド感］
組成物を家庭にて3週間使用し、その使用中のマイルド感を下記の判定基準に従い評価してもらった。10家庭の平均をスコアとした。
評価基準：
５  非常に手肌のマイルド感を感じた
４  かなり手肌のマイルド感を感じた
３  やや手肌のマイルド感を感じた
２  ほとんど手肌のマイルド感を感じなかった
１  全く手肌のマイルド感を感じなかった
［すすぎ性］
組成物２ｇを予め３８ｇの水道水を含有させたスポンジ（商品名スコッチブライト、住友スリーエム社製）に秤りとり、手のひらに乗せて軽く５回揉んだ。次いで、バター０．５ｇを塗布した平皿（径２０ｃｍ）を上記スポンジを使用して３枚洗浄後、このスポンジを手のひらに乗せ、１秒間隔で強く揉みながら２０℃に調整した水道水を流下させた。泡がスポンジからほとんど発生しなくなる揉み回数を記録した。
【００２１】
［実施例１〜５］
組成物（実施例１〜５）についてマイルド性、使用中のマイルド感、及びすすぎ性の評価テストを行った。具体的な組成物及びその含有量及びテスト結果を表１に示した。なお、香料は、表２〜４に示す組成のものを用いた。
［比較例１〜３］
非イオン性界面活性剤、乳白化剤、芳香族スルホン酸/塩または芳香族カルボン酸/
塩をそれぞれ含まない洗浄剤組成物を比較例として、マイルド性、使用中のマイルド感、及びすすぎ性の評価テストを行い、その結果を表１に示した。
【００２２】
【表１】
2004204101.tif 000008
【００２３】
【表２】
2004204101.tif 000009
【００２４】
【表３】
2004204101.tif 000010
【００２５】
【表４】
2004204101.tif 000011
表１から明らかなように、本発明の台所用洗浄剤組成物（実施例１〜５）は、いずれも優れたマイルド性、使用中のマイルド感、すすぎ性を示すのに対し、比較例の台所用洗浄剤組成物はいずれも、マイルド性、マイルド感もしくはすすぎ性が劣っている。